(57)【特許請求の範囲】
【請求項１】
天気や気温などの予報情報を入力する天気予報入力手段と、
洗濯対象条件毎の指定天気と天気の持続状況を決定し、
前記天気予報入力手段で入力された予報情報と、前記洗濯対象条件毎の指定天気と天気の持続状況と、に応じた洗濯日を計画する洗濯計画作成手段とを備え、
前記洗濯対象条件は、洗濯後の保管期間と、洗濯対象の種類または量である洗濯計画作成装置。
【請求項２】
前記洗濯計画作成手段は、前記洗濯対象条件が洗濯後の保管期間の場合と、洗濯対象条件が量の場合とで、天気の持続状況を異ならせる、請求項１に記載の洗濯計画作成装置。
【請求項３】
前記洗濯計画作成手段は、前記洗濯対象条件が洗濯後の保管期間の場合と、洗濯対象条件が種類の場合とで、指定天気を異ならせる、請求項１または２に記載の洗濯計画作成装置。
【請求項４】
前記洗濯計画作成手段は、前記洗濯対象条件が洗濯後の保管期間の場合には、洗濯対象条件が量の場合より、天気の持続状況を長くする、請求項２に記載の洗濯計画作成装置。
【請求項５】
洗濯対象の種類または量または洗濯後の保管期間のいずれか１つ以上を指定するための洗濯対象条件指定手段と、
報知手段を備え、
前記洗濯対象条件指定手段で条件を指定した場合は、指定された洗濯対象条件について、最適な洗濯日を報知する請求項１〜４のいずれか１項に記載の洗濯計画作成装置。
【請求項６】
前記洗濯計画作成手段は、前記洗濯対象がデリケート衣類の場合は、前記予報情報で曇りの日または曇りの時間帯を最適とする請求項３項に記載の洗濯計画作成装置。
【請求項７】
洗濯機または洗濯乾燥機の運転内容を設定するための運転内容設定手段と、
前記洗濯計画作成手段の計画に従って各日の洗濯を実行するかどうかを設定するための計画実行可否設定手段を備え、
前記計画実行可否設定手段で計画実行可と設定された日は、前記洗濯計画作成手段が前記運転内容設定手段で運転内容を設定する請求項１〜６のいずれか１項に記載の洗濯計画作成装置。
【請求項８】
前記洗濯計画作成手段は、前記洗濯対象条件指定手段で保管期間が所定期間以上と指定された場合は、前記運転内容設定手段で、洗濯時間またはすすぎ時間を長く設定する請求項７に記載の洗濯計画作成装置。
【請求項９】
前記運転内容設定手段は、除菌機能指示手段を備え、
前記洗濯計画作成手段は、前記洗濯対象条件指定手段で保管期間が所定期間以上と指定された場合は、前記運転内容設定手段で、前記除菌機能指示手段により除菌機能を動作するよう指示する請求項７または８に記載の洗濯計画作成装置。
【請求項１０】
洗濯機または洗濯乾燥機の運転内容を設定するための運転内容設定手段と、
前記洗濯計画作成手段の計画に従って各日の洗濯を実行するかどうかを設定するための計画実行可否設定手段を備え、
前記計画実行可否設定手段で計画実行否と設定された場合は、前記洗濯計画作成手段が洗濯方法についてアドバイスを行う請求項１〜９のいずれか１項に記載の洗濯計画作成装置。
【請求項１１】
天気や気温などの予報情報を天気予報入力手段で入力されるステップと、
洗濯対象条件毎の指定天気と天気の持続状況を決定し、前記天気予報入力手段で入力された予報情報と、前記洗濯対象条件毎の指定天気と天気の持続状況と、に応じた洗濯日を洗濯計画作成手段で計画するステップとを備え、
前記洗濯対象条件は、洗濯後の保管期間と、洗濯対象の種類または量である洗濯計画作成装置の制御方法。

【発明の詳細な説明】
【技術分野】
【０００１】
本発明は、気圧検知手段で直接、もしくは外部サーバよりネットワーク経由で、天気予報を入力して、その情報を元に洗濯計画を作成する洗濯計画作成装置に関するものである。
【背景技術】
【０００２】
従来、ユーザデータサーバ（ホーム端末）に例えば、誰の洗濯物を洗濯する日時を予めタイマー予約できるような家事作業家事労働スケジュールを設定するための家事労働予定設定手段を備えると共に、家事労働スケジュールに基づいて洗濯の予定時刻を報知する報知手段を備えたり、家事労働スケジュールに基づいて洗濯の予定時刻にランドリー機器に自動的に洗濯運転開始でき、ネットワークを介して気象情報を入力し、その気象情報に基づいて洗濯行程を調整変更したり、その気象情報によってはタイマー時刻の変更を使用者に促すランドリーシステムがあった（例えば、特許文献１参照）。
【０００３】
また、洗濯物水分量取得手段と、乾燥能力テーブルと、降水確率予報情報を取得する天候情報取得部、スケジュール決定部などをコントローラーに備え、スケジュール決定部は、降水確率予報情報の降水確率が一定値以下の場合に屋外型の乾燥手段を用いてスケジュールを作成する洗濯乾燥システムがあった（例えば、特許文献２参照）。
【先行技術文献】
【特許文献】
【０００４】
【特許文献１】特開２００２−０８５８８５号公報
【特許文献２】特開２００６−２９６９９３号公報
【発明の概要】
【発明が解決しようとする課題】
【０００５】
しかしながら、従来の特許文献１は、使用者が予め設定したタイマー予約日時を元に、気象情報に基づいて最適洗濯工程を実行してくれたり、タイマー予約日時の変更を促してくれるものの、使用者が洗濯したい対象物の種類または量または洗濯後の保管期間に応じた最適な洗濯日時の候補を元に洗濯日時を決めることができるものではなかった。
【０００６】
また、従来の特許文献２では、降水確率予報情報に応じて、利用者の生活状態情報（夜間時間帯は乾燥機利用不可など）を組み入れて最適な乾燥手段での衣類乾燥をスケジューリングしてくれるものの、これもまた、使用者が洗濯したい対象物の種類または量または洗濯後の保管期間に応じた最適な洗濯日時の候補を元に洗濯日時を決めることができるものではなかった。
【０００７】
本発明は、前記従来の課題を解決するもので、使用者が洗濯したい対象物の種類または量または洗濯後の保管期間に応じた最適な洗濯日時の候補を元に洗濯日時を決めることができる洗濯計画作成装置を提供することを目的とする。
【課題を解決するための手段】
【０００８】
前記従来の課題を解決するために、本発明の洗濯計画作成装置は、天気や気温などの予報情報を入力する天気予報入力手段と、洗濯対象条件毎の指定天気と天気の持続状況を決定し、前記天気予報入力手段で入力された予報情報と、前記洗濯対象条件毎の天気と天気の持続状況と、に応じた洗濯日を計画する洗濯計画作成手段とを備え、前記洗濯対象条件は、洗濯後の保管期間と、洗濯対象の種類または量であるものである。
【０００９】
これによって、使用者が洗濯したい対象物の種類または量と、洗濯後の保管期間に応じた最適な洗濯日時の候補を元に洗濯日時を決めることができる。
【発明の効果】
【００１０】
本発明の洗濯計画作成装置は、使用者が洗濯したい対象物の種類または量と、洗濯後の保管期間について、気象情報に基づいて、天気と天気の持続状況から最適な洗濯計画を作成できるので、使用者が洗濯したい対象物の種類または量と、洗濯後の保管期間に応じた最適な洗濯日時の候補を元に洗濯日時を決めることができる。
【図面の簡単な説明】
【００１１】
【図１】本発明の実施の形態１における洗濯計画作成装置の構成を示すブロック図
【図２】同洗濯計画作成装置の天気別予報表の一例を示す図
【図３】同洗濯計画作成装置の洗濯計画作成の流れを示すフローチャート
【図４】同洗濯計画作成装置の洗濯対象条件毎の候補抽出のための天気条件決定の流れを示すフローチャート
【図５】同洗濯計画作成装置の天気計画表の一例を示す図
【図６】本発明の実施の形態２における洗濯計画作成装置の構成を示すブロック図
【図７】同洗濯計画作成装置の洗濯計画作成手段が運転内容を設定する流れを示すフローチャート
【図８】同洗濯計画作成装置のシステムの一例を示す図
【図９】同洗濯計画作成装置の洗濯後の保管期間が所定期間以上の場合の運転内容設定の流れを示すフローチャート
【図１０】同洗濯計画作成装置の洗濯計画作成手段が最適とした日が計画実行否と設定された場合のアドバイス表示の一例を示す図
【発明を実施するための形態】
【００１２】
第１の発明は、本発明の洗濯計画作成装置は、天気や気温などの予報情報を入力する天気予報入力手段と、洗濯対象条件毎の指定天気と天気の持続状況を決定し、前記天気予報入力手段で入力された予報情報と、前記洗濯対象条件毎の指定天気と天気の持続状況と、に応じた洗濯日を計画する洗濯計画作成手段とを備え、前記洗濯対象条件は、洗濯後の保管期間と、洗濯対象の種類または量であるので、洗濯したい対象物の種類または量と、洗濯後の保管期間に応じた最適な洗濯日の候補を元に使用者が洗濯日時を決めることができる。
【００１３】
第２の発明は、特に、第１の発明の洗濯計画作成装置で、前記洗濯対象条件が洗濯後の保管期間の場合と、洗濯対象条件が量の場合とで、天気の持続状況を異ならせるものである。
【００１４】
第３の発明は、特に、第１または第２の発明の洗濯計画作成装置で、前記洗濯対象条件が洗濯後の保管期間の場合と、洗濯対象条件が種類の場合とで、指定天気を異ならせるものである。
【００１５】
第４の発明は、特に、第２の発明の洗濯計画作成装置で、前記洗濯対象条件が洗濯後の保管期間の場合には、洗濯対象条件が量の場合より、天気の持続状況を長くするものである。
【００１６】
第５の発明は、特に、第１の発明〜第４の発明のいずれかの洗濯計画作成装置で、洗濯対象の種類または量または洗濯後の保管期間のいずれか１つ以上を指定するための洗濯対象条件指定手段と、報知手段を備え、前記洗濯対象条件指定手段で条件を指定した場合は、指定された洗濯対象条件について、最適な洗濯日を報知するので、洗濯したい対象物の
種類または量または洗濯後の保管期間に応じて提示された候補を元に使用者がすべき洗濯を早く片付けることができる。
【００１７】
第６の発明は、特に、第３の発明の洗濯計画作成装置の洗濯計画作成手段が、前記洗濯対象がデリケート衣類の場合は、前記予報情報で曇りの日または曇りの時間帯を最適とするので、大切なデリケート衣類を、日照で傷めすぎることなく、また不完全な乾燥で衣類に菌を繁殖をさせない最適な洗濯日時の候補を元に洗濯日時を決めることができる。
【００１８】
第７の発明は、特に、第１の発明〜第６の発明のいずれかの洗濯計画作成装置の洗濯計画作成手段が、洗濯機または洗濯乾燥機の運転内容を設定するための運転内容設定手段と、前記洗濯計画作成手段の計画に従って各日の洗濯を実行するかどうかを設定するための計画実行可否設定手段を備え、前記計画実行可否設定手段で計画実行可と設定された日は、前記洗濯計画作成手段が前記運転内容設定手段で運転内容を設定するので、使用者は、洗濯したい対象物の種類または量または洗濯後の保管期間に応じた計画を実行するか否かを設定するだけで、洗濯対象に最適な洗濯機または洗濯乾燥機の運転内容を設定することができる。
【００１９】
第８の発明は、特に、第７の発明の洗濯計画作成装置の洗濯計画作成手段が、前記洗濯対象条件指定手段で保管期間が所定期間以上と指定された場合は、前記運転内容設定手段で、洗濯時間またはすすぎ時間を長く設定するので、使用者は、洗濯したい対象物の保管期間に応じた計画を実行するか否かを設定するだけで、念入りな洗濯やすすぎを実行するように洗濯機または洗濯乾燥機の運転内容を設定することができる。
【００２０】
第９の発明は、特に、第７の発明または第８の発明の洗濯計画作成装置の運転内容設定手段は、除菌機能指示手段を備え、前記洗濯計画作成手段は、前記洗濯対象条件指定手段で保管期間が所定期間以上と指定された場合は、前記運転内容設定手段で、前記除菌機能指示手段により除菌機能を動作するよう指示するので、使用者は、洗濯したい対象物の保管期間に応じた計画を実行するか否かを設定するだけで、洗濯物の除菌を行い長期間の保管に耐えうるような洗濯機または洗濯乾燥機の運転内容を設定することができる。
【００２１】
第１０の発明は、特に、第１の発明〜第９の発明のいずれかの洗濯計画作成装置は、洗濯機または洗濯乾燥機の運転内容を設定するための運転内容設定手段と、前記洗濯計画作成手段の計画に従って各日の洗濯を実行するかどうかを設定するための計画実行可否設定手段を備え、前記計画実行可否設定手段で計画実行否と設定された場合は、前記洗濯計画作成手段が洗濯方法についてアドバイスを行うので、洗濯したい対象物の種類または量または洗濯後の保管期間に応じた最適な洗濯日に洗濯実施ができない場合でも、アドバイスを元に適切な洗濯を行うことができる。
【００２２】
第１１の発明は、天気や気温などの予報情報を天気予報入力手段で入力されるステップと、洗濯対象条件毎の指定天気と天気の持続状況を決定し、前記天気予報入力手段で入力された予報情報と、前記洗濯対象条件毎の指定天気と天気の持続状況と、に応じた洗濯日を洗濯計画作成手段で計画するステップとを備え、前記洗濯対象条件は、洗濯後の保管期間と、洗濯対象の種類または量である洗濯計画作成装置の制御方法である。
【００２３】
（実施の形態１）
図１は、本発明の実施の形態１における洗濯計画作成装置の構成を示すブロック図である。また、図２は、同洗濯計画作成装置の天気別予報表の一例を示す図、図３は、同洗濯計画作成装置の洗濯計画作成の流れを示すフローチャート、図４は、同洗濯計画作成装置の洗濯対象条件毎の候補抽出のための天気条件決定の流れを示すフローチャート、図５は、同洗濯計画作成装置の天気計画表の一例を示す図である。
【００２４】
図１において、洗濯計画作成装置１０１は、天気予報を入力するための天気予報入力手段１０２（本実施の形態では、インターネット１０３から通信により天気予報を入力するものとした）と、天気予報入力手段１０２で入力した情報から指定天気の該当日時を抽出するための指定天気該当日時抽出手段１０５と、指定天気該当日時抽出手段１０５が抽出した該当日時から持続時間を抽出するための指定天気持続時間抽出手段１０６と、天気予報入力手段１０２で入力した情報から天気が下り坂傾向にあるか回復傾向にあるかの天気傾向を抽出するための天気傾向抽出手段１０７、洗濯計画作成手段１０４、洗濯対象条件指定手段１０８、報知手段１０９を備えている。
【００２５】
以上のように構成された洗濯計画作成装置について、以下その動作、作用を説明する。図３に示したように、まず洗濯計画作成手段１０４は、予め洗濯対象条件毎の指定天気と持続時間を決定する（ステップ１）。洗濯対象条件（本実施の形態では、種類については、薄い生地やおしゃれ着などの傷みやすい手洗い表示のあるものやドライマークの付いた衣類などのデリケート衣類かどうか、毛布や布団などの大物かどうか、量については多いかどうか、洗濯後の保管期間は６ヶ月以上かどうか）毎の指定天気と持続時間は、図４に示したように決定する。次に、天気予報取得タイミング（本実施の形態では、毎日０時とした）であれば、天気予報入力手段１０２によりインターネット１０３から所定期間分（本実施の形態では、２週間分）の天気予報を取得する（ステップ２、３）し、指定天気該当日時抽出手段１０５に指示して、図２に示したように指定天気（本実施の形態では、「快晴」、「晴れ」、「曇り」、「雨」）に該当する最近２週間分の天気別予定表３００を作成する。当日天気は６時間単位、翌日以降は半日単位とした。さらに、天気別予定表３００を元に、指定天気持続時間抽出手段１０６で指定天気毎の持続時間を抽出する（ステップ４）。
【００２６】
次に、洗濯対象条件毎に、図４で示した指定天気と持続時間を満たす該当日時を抽出して、図５に示した洗濯計画表３１１を作成し、各々の洗濯対象条件毎に候補日（図５の○もしくは△）と最新最適日（図５では、最新最適候補日３１２）とを報知手段１０９で報知する（ステップ５）。
【００２７】
使用者が、洗濯対象条件指定手段１０８で、「デリケート」や「長く保管」などの洗濯対象条件を指定した場合は、報知手段１０９で、洗濯対象条件に該当する最新最適候補日（例えば、図５の洗濯計画表の場合、「デリケート」なら１０／２（火））を報知する。
【００２８】
図４に示したように、洗濯対象条件毎の指定天気と持続時間は、洗濯後の保管期間が６ヶ月以上であれば、「快晴または晴れが前後３日以上」を天気合致条件として決定し（ステップ１１、１２）、洗濯対象の量が多いか毛布や布団などの大物洗濯であれば、「快晴または晴れが前後３日以上」を天気合致条件として決定し（ステップ１３、１４）、デリケート衣類であれば、「くもりが１日以上持続」を天気合致条件として決定し（ステップ１５、１６）、それ以外は一般洗濯物として「快晴または晴れが日中１日以上持続を第１候補日３１３（図５の「○」印）、第１候補以外で雨以外が１日以上持続を第２候補日３１４（図５の「△」印）を天気合致条件として決定する（ステップ１５、１７）。本実施の形態では、天気と持続時間のみから天気合致条件を決定するようにしたが、「快晴」と「晴れ」などで重みづけを変えて、「晴れポイント」として算出してもかまわないし、天気は降水確率としてもかまわない。
【００２９】
尚、本実施の形態では、インターネット１０３から通信により天気予報を入力するものとしたが、天気予報入力手段１０２は気圧検知手段として、指定天気該当日時抽出手段１０５で、気圧と前後の気圧変化の傾向から数日間の指定天気該当日時抽出を行うようにしてもかまわない。
【００３０】
また、本実施の形態では、洗濯対象の種類または量または洗濯後の保管期間の全てについて計画するようにしたが、洗濯対象の種類または量または洗濯後の保管期間のいずれか１つ以上について計画するようにしてもかまわないし、保管期間を６ヶ月以上かどうかで長く保管するかどうかと同義として計画を作成するようにしたが、任意の期間としてかまわないし、設定できるようにしてもかまわない。
【００３１】
また、洗濯計画作成装置１０１は、洗濯機や洗濯乾燥機内に備えてもかまわないし、パーソナルコンピュータや携帯端末やサーバに備えるようにしてもかまわない。
【００３２】
以上のように、洗濯計画作成装置１０１は、天気や気温などの予報情報を入力する天気予報入力手段１０２と、天気予報入力手段１０２で入力された天気と天気の持続状況から最適な洗濯計画を作成する洗濯計画作成手段１０４を備え、洗濯計画作成手段１０４は、洗濯対象の種類または量または洗濯後の保管期間のいずれか１つ以上について計画するので、洗濯したい対象物の種類または量または洗濯後の保管期間に応じた最適な洗濯日時の候補を元に使用者が洗濯日時を決めることができる。
【００３３】
また、洗濯計画作成装置１０１は、洗濯対象の種類または量または洗濯後の保管期間のいずれか１つ以上を指定するための洗濯対象条件指定手段１０８と、報知手段１０９を備え、洗濯対象条件指定手段１０８で条件を指定した場合は、指定された洗濯対象条件について最近で最適な洗濯日を報知手段１０９で報知するので、洗濯したい対象物の種類または量または洗濯後の保管期間に応じて提示された候補を元に使用者がすべき洗濯を早く片付けることができる。
【００３４】
さらに、洗濯計画作成装置１０１の洗濯計画作成手段１０４が、前記洗濯対象がデリケート衣類の場合は、天気予報入力手段１０２で曇りの日または曇りの時間帯を最適とするので、大切なデリケート衣類を、日照で傷めすぎることなく、また不完全な乾燥で衣類に菌を繁殖をさせない最適な洗濯日時の候補を元に洗濯日時を決めることができる。
【００３５】
（実施の形態２）
図６は、本発明の実施の形態２における洗濯計画作成装置の構成を示すブロック図である。図１の構成に加えて、洗濯計画作成装置２０１は、洗濯計画作成手段１０４の計画に従って各日の洗濯を実行するかどうかを設定するための計画実行可否設定手段２０２と、洗濯機または洗濯乾燥機の運転内容を設定するための運転内容設定手段２０３とを備えている。さらに、運転内容設定手段２０３は、除菌機能指示手段２０４を備えている。
【００３６】
また、図７は、同洗濯計画作成装置の洗濯計画作成手段が運転内容を設定する流れを示すフローチャート、図８は、同洗濯計画作成装置のシステムの一例を示す図で、図９は、同洗濯計画作成装置の洗濯後の保管期間が所定期間以上の場合の運転内容設定の流れを示すフローチャートである。
【００３７】
また、図１０は、同洗濯計画作成装置の洗濯計画作成手段が最適とした日が計画実行否と設定された場合のアドバイス表示の一例を示す図である。
【００３８】
洗濯計画作成装置２０１の洗濯計画作成手段１０４が、天気予報入力手段１０２で入力した天気予報を元に洗濯計画を作成する動作は、実施の形態１と同様である。
【００３９】
以降の動作、作用を図７で説明する。使用者は、計画実行可否設定手段２０２により、洗濯計画作成手段１０４が作成した洗濯計画に従って洗濯を行うかどうかの設定を行う。即ち、実施の形態１で示した図５の第１候補日３１３の「○」印の各々について、また、
第２候補日３１４の「△」印の各々について実行可否を設定する（ステップ２１）。この時、１日あたりについて使用者が実行可とした計画が複数ある場合は、その順序も併せて設定する。洗濯計画作成手段１０４は、当日に実行計画がある場合は、その計画に応じておすすめの運転内容を運転内容設定手段２０３で設定する（ステップ２２、２３）。
【００４０】
本実施の形態では、図８に示したように洗濯計画作成装置２０１を携帯端末４００とし、運転内容設定手段２０３を洗濯乾燥機４０１への運転内容指示送信手段とした。
【００４１】
運転内容設定手段２０３は、図９に示したように、洗濯後の保管期間が６か月以上のものは、洗濯時間とすすぎ時間を各々標準時間より２分長く設定し、さらに除菌機能指示手段２０４により除菌機能を動作するよう運転内容を設定する（ステップ３２、３３）。
【００４２】
使用者が、例えば図５の洗濯対象条件の「長く保管」１０／８（月）の計画実行を否とした場合、図１０に示したアドバイス表示画面５００を表示して、使用者にアドバイスを行う。本実施の形態では、天気予報入力手段１０２で入力した情報をもとに天気傾向抽出手段１０７で抽出した今後の天気傾向をもとにアドバイスを実施する。
【００４３】
尚、本実施の形態では、洗濯計画作成装置２０１を携帯端末４００とし、運転内容設定手段２０３を洗濯乾燥機４０１への運転内容指示送信手段としたが、洗濯計画作成装置２０１を洗濯乾燥機４０１内に備えてもかまわない。また、洗濯計画作成装置２０１を、携帯端末でなく、通信システムを構成する親機や子機に設けてもかまわないし、サーバに設けてもかまわない。
【００４４】
以上のように、洗濯計画作成装置２０１の洗濯計画作成手段１０４が、洗濯機または洗濯乾燥機の運転内容を設定するための運転内容設定手段２０３と、洗濯計画作成手段１０４の計画に従って各日の洗濯実行するかどうかを設定するための計画実行可否設定手段２０２を備え、計画実行可否設定手段２０２で計画実行可と設定された日は、洗濯計画作成手段１０４が運転内容設定手段２０３で運転内容を設定するので、使用者は、洗濯したい対象物の種類または量または洗濯後の保管期間に応じた計画を実行するか否かを設定するだけで、洗濯対象に最適な洗濯機または洗濯乾燥機の運転内容を設定することができる。
【００４５】
また、洗濯計画作成装置２０１の洗濯計画作成手段１０４が、洗濯対象条件指定手段１０８で保管期間が所定期間以上（本実施の形態では、６ヶ月以上）と指定された場合は、運転内容設定手段２０３で、洗濯時間またはすすぎ時間を長く設定するので、使用者は、洗濯したい対象物の保管期間に応じた計画を実行するか否かを設定するだけで、念入りな洗濯やすすぎを実行するように洗濯機または洗濯乾燥機の運転内容を設定することができる。
【００４６】
また、洗濯計画作成装置２０１の運転内容設定手段２０３は、除菌機能指示手段２０４を備え、洗濯計画作成手段１０４は、洗濯対象条件指定手段１０８で保管期間が所定期間以上と指定された場合は、運転内容設定手段２０３で、除菌機能指示手段２０４により除菌機能を動作するよう指示するので、使用者は、洗濯したい対象物の保管期間に応じた計画を実行するか否かを設定するだけで、洗濯物の除菌を行い長期間の保管に耐えうるような洗濯機または洗濯乾燥機の運転内容を設定することができる。
【００４７】
さらに、洗濯計画作成装置２０１は、洗濯機または洗濯乾燥機の運転内容を設定するための運転内容設定手段２０３と、洗濯計画作成手段１０４の計画に従って各日の洗濯実行するかどうかを設定するための計画実行可否設定手段２０２を備え、計画実行可否設定手段２０２で計画実行否と設定された場合は、洗濯計画作成手段１０４が洗濯方法についてアドバイスを行うので、洗濯したい対象物の種類または量または洗濯後の保管期間に応じ
た最適な洗濯日時に洗濯実施ができない場合でも、アドバイスを元に適切な洗濯を行うことができる。
【産業上の利用可能性】
【００４８】
以上のように、本発明にかかる洗濯計画作成装置は使用者が洗濯したい対象物の種類または量または洗濯後の保管期間のいずれか１つ以上について、気象情報に基づいて、天気と天気の持続状況から最適な洗濯計画を作成できるので、使用者が洗濯したい対象物の種類または量または洗濯後の保管期間に応じた最適な洗濯日時の候補を元に洗濯日時を決めることができるので、家庭内だけでなく業務用としても操作の利便性を向上させるのに有用である。
【符号の説明】
【００４９】
１０１  洗濯計画作成装置
２０１  洗濯計画作成装置
１０２  天気予報入力手段
１０４  洗濯計画作成手段
１０８  洗濯対象条件指定手段
１０９  報知手段
２０２  計画実行可否設定手段
２０３  運転内容設定手段
２０４  除菌機能指示手段
【図１】
0006311134.tif 000002
【図２】
0006311134.tif 000003
【図３】
0006311134.tif 000004
【図４】
0006311134.tif 000005
【図５】
0006311134.tif 000006
【図６】
0006311134.tif 000007
【図７】
0006311134.tif 000008
【図８】
0006311134.tif 000009
【図９】
0006311134.tif 000010
【図１０】
0006311134.tif 000011